(57)【要約】【課題】着信端末のアドレス帳に発信者が登録されていない場合であっても、着信者へ発信者との関連性を特定可能な情報を提供する。【解決手段】情報提供システム１は、交換機１０とアドレス帳サーバ２０とを備える。アドレス帳サーバ２０のネットワークアドレス帳データベース２１は、登録者毎にその登録者のアドレス帳を格納している。受付部２２は、発移動機３から発信要求があると、発移動機３と着移動機５との電話番号を交換機１０から受け付ける。抽出部２３は、発移動機３と着移動機５との電話番号の双方が記憶されているアドレス帳の登録者を仲介者として抽出する。生成部２４は、抽出された仲介者の情報をネットワークアドレス帳データベース２１のデータから生成して交換機１０へ送信する。交換機１０は、出力された仲介者情報を着移動機５へ提供する。【選択図】図１
2008300961.tif 000002
【特許請求の範囲】
【請求項１】
通信網を構成する交換機と、前記交換機と通信可能に構成されたアドレス帳サーバとを備える情報提供システムであって、
前記アドレス帳サーバは、
電話番号とメールアドレスとの少なくともいずれか一方を含む通信端末情報と前記通信端末情報に対応する通信端末の利用者とを関連付けて記憶したアドレス帳を、前記アドレス帳の登録者毎に格納する格納手段と、
発信端末の前記通信端末情報と着信端末の前記通信端末情報とを前記交換機から受け付ける受付手段と、
前記受付手段によって受け付けられた発信端末の前記通信端末情報と着信端末の前記通信端末情報との双方が記憶されているアドレス帳の登録者を仲介者として、前記格納手段によって格納されたデータから抽出する抽出手段と、
前記抽出手段によって抽出された仲介者に関する仲介者情報を前記格納手段によって格納されたデータから生成する生成手段と、を備え、
前記交換機は、前記生成手段によって生成された仲介者情報を前記着信端末へ提供することを特徴とする情報提供システム。
【請求項２】
前記交換機は、前記発信端末から送信された発信要求と前記発信端末及び前記着信端末の前記通信端末情報とを受信した場合に、前記発信端末及び前記着信端末の前記通信端末情報を前記アドレス帳サーバへ出力し、当該出力に応じて前記アドレス帳サーバの前記生成手段によって生成される前記仲介者情報を、前記発信要求に応じた着信接続の際に前記着信端末へ提供することを特徴とする請求項１に記載の情報提供システム。
【請求項３】
前記生成手段は、前記発信端末の利用者のアドレス帳に前記仲介者が前記格納手段によって記憶されており、且つ、前記着信端末の利用者のアドレス帳に前記仲介者が前記格納手段によって記憶されている場合に、前記仲介者情報を生成することを特徴とする請求項１又は２に記載の情報提供システム。
【請求項４】
電話番号とメールアドレスとの少なくともいずれか一方を含む通信端末情報と前記通信端末情報に対応する通信端末の利用者とを関連付けて記憶したアドレス帳を、前記アドレス帳の登録者毎に格納する格納手段と、
発信端末の前記通信端末情報と着信端末の前記通信端末情報とを受け付ける受付手段と、
前記受付手段によって受け付けられた発信端末の前記通信端末情報と着信端末の前記通信端末情報との双方が記憶されているアドレス帳の登録者を仲介者として、前記格納手段によって格納されたデータから抽出する抽出手段と、
前記抽出手段によって抽出された仲介者に関する仲介者情報を前記格納手段によって格納されたデータから生成する生成手段と、
を備えることを特徴とするアドレス帳サーバ。
【請求項５】
前記生成手段は、前記発信端末の利用者のアドレス帳に前記仲介者が前記格納手段によって記憶されており、且つ、前記着信端末の利用者のアドレス帳に前記仲介者が前記格納手段によって記憶されている場合に、前記仲介者情報を生成することを特徴とする請求項４に記載のアドレス帳サーバ。
【請求項６】
電話番号とメールアドレスとの少なくともいずれか一方を含む通信端末情報と前記通信端末情報に対応する通信端末の利用者とを関連付けて記憶したアドレス帳を登録者毎に格納する格納手段を備える情報提供システムにおける情報提供方法であって、
受付手段が、発信端末の前記通信端末情報と着信端末の前記通信端末情報とを受け付ける受付ステップと、
抽出手段が、前記受付ステップにおいて受け付けられた発信端末の前記通信端末情報と着信端末の前記通信端末情報との双方が記憶されているアドレス帳の登録者を仲介者として、前記格納手段によって格納されたデータから抽出する抽出ステップと、
生成手段が、前記抽出ステップにおいて抽出された仲介者に関する仲介者情報を前記格納手段によって格納されたデータから生成する生成ステップと、
情報提供手段が、前記生成ステップにおいて生成された仲介者情報を前記着信端末へ提供する情報提供ステップと、
を備えることを特徴とする情報提供方法。
【発明の詳細な説明】
【技術分野】
【０００１】
本発明は、情報提供システム、アドレス帳サーバ、及び情報提供方法に関する。
【背景技術】
【０００２】
通信端末において着信があった場合に、着信端末のアドレス帳に発信者の名前が登録されていると、着信端末に発信者の名前を表示する通信端末がある。しかし、着信端末のアドレス帳に発信者の名前が登録されていない場合は、着信者は発信者の身元も自分との関連性も特定することができないので、悪意の発信者かどうか区別がつかない。
【０００３】
そこで、通信端末において着信があった場合に、発信者の情報を提供する技術がある。例えば、下記特許文献１には、ネットワーク上に発信者の個人情報を予め登録し、着信後、着信者がネットワークにアクセスすると、発信者の個人情報を着信者に提供する技術が記載されている。
【特許文献１】特開２００５−５１４７５号公報
【発明の開示】
【発明が解決しようとする課題】
【０００４】
しかしながら、上記特許文献１に記載の技術では、着信者は、着信があった後に、着信者自らが、ネットワークにアクセスする必要がある。よって、着信者にとっては、ネットワークにアクセスしなければ、依然として発信者と自分との関連性を特定することができないので、悪意の発信者かどうか区別がつかない。
【０００５】
本発明は、上記問題を解決するためになされたものであって、着信端末のアドレス帳に発信者が登録されていない場合であっても、着信者へ発信者との関連性を特定可能な情報を提供できる情報提供システム、アドレス帳サーバ、及び情報提供方法を提供することを目的とする。
【課題を解決するための手段】
【０００６】
本発明の情報提供システムは、通信網を構成する交換機と、交換機と通信可能に構成されたアドレス帳サーバとを備える情報提供システムであって、アドレス帳サーバは、電話番号とメールアドレスとの少なくともいずれか一方を含む通信端末情報と通信端末情報に対応する通信端末の利用者とを関連付けて記憶したアドレス帳を、アドレス帳の登録者毎に格納する格納手段と、発信端末の通信端末情報と着信端末の通信端末情報とを交換機から受け付ける受付手段と、受付手段によって受け付けられた発信端末の通信端末情報と着信端末の通信端末情報との双方が記憶されているアドレス帳の登録者を仲介者として、格納手段によって格納されたデータから抽出する抽出手段と、抽出手段によって抽出された仲介者に関する仲介者情報を格納手段によって格納されたデータから生成する生成手段と、を備え、交換機は、生成手段によって生成された仲介者情報を着信端末へ提供することを特徴とする。
【０００７】
本発明の情報提供システムによれば、発信端末の通信端末情報と着信端末の通信端末情報との双方が記憶されているアドレス帳の登録者を仲介者として格納されたデータから抽出し、その抽出した仲介者の情報を生成する。そして、その仲介者の情報を着信端末へ提供する。よって、この仲介者の情報を着信端末において表示することができる。この仲介者は、発信者と着信者の通信端末情報をアドレス帳に登録している者なので、発信者と着信者との双方と関係があると推定される。よって、着信者は、仲介者の情報を得ることにより、発信者は、自分と関連性のある仲介者と関係のある者であることが分かる。すなわち、本発明の情報提供システムによれば、着信者と発信者との関連性を特定可能な情報を着信端末へ提供することができる。
【０００８】
好ましくは、交換機は、発信端末から送信された発信要求と発信端末及び着信端末の通信端末情報とを受信した場合に、発信端末及び着信端末の通信端末情報をアドレス帳サーバへ出力し、当該出力に応じてアドレス帳サーバの生成手段によって生成される仲介者情報を、発信要求に応じた着信接続の際に着信端末へ提供する。この場合、着信時に、着信者と発信者との関連性を特定可能な情報を着信端末へ提供することができる。
【０００９】
好ましくは、生成手段は、発信端末の利用者のアドレス帳に仲介者が格納手段によって記憶されており、且つ、着信端末の利用者のアドレス帳に仲介者が格納手段によって記憶されている場合に、仲介者情報を生成する。
【００１０】
この場合、この仲介者は、発信者及び着信者の通信端末情報をアドレス帳に登録し、且つ、発信者及び着信者のアドレス帳に登録されている者であるので、より確実に、仲介者が発信者と着信者との双方と関係があると推定される。よって、着信者と発信者との関連性をより確実に特定可能な情報を提供することができる。
【００１１】
本発明のアドレス帳サーバは、電話番号とメールアドレスとの少なくともいずれか一方を含む通信端末情報と通信端末情報に対応する通信端末の利用者とを関連付けて記憶したアドレス帳を、アドレス帳の登録者毎に格納する格納手段と、発信端末の通信端末情報と着信端末の通信端末情報とを受け付ける受付手段と、受付手段によって受け付けられた発信端末の通信端末情報と着信端末の通信端末情報との双方が記憶されているアドレス帳の登録者を仲介者として、格納手段によって格納されたデータから抽出する抽出手段と、抽出手段によって抽出された仲介者に関する仲介者情報を格納手段によって格納されたデータから生成する生成手段と、を備えることを特徴とする。
【００１２】
本発明のアドレス帳サーバによれば、発信端末の通信端末情報と着信端末の通信端末情報との双方が記憶されているアドレス帳の登録者を仲介者として格納されたデータから抽出し、その抽出した仲介者の情報を生成する。よって、この仲介者の情報を着信端末が取得して表示することができる。この仲介者は、発信者と着信者の通信端末情報をアドレス帳に登録している者なので、発信者と着信者との双方と関係があると推定される。よって、着信者は、仲介者の情報を得ることにより、発信者は、自分と関連性のある仲介者と関係のある者であることが分かる。すなわち、本発明のアドレス帳サーバによれば、着信者と発信者との関連性を特定可能な情報を着信端末へ提供することができる。
【００１３】
本発明の情報提供方法は、電話番号とメールアドレスとの少なくともいずれか一方を含む通信端末情報と通信端末情報に対応する通信端末の利用者とを関連付けて記憶したアドレス帳を登録者毎に格納する格納手段を備える情報提供システムにおける情報提供方法であって、受付手段が、発信端末の通信端末情報と着信端末の通信端末情報とを受け付ける受付ステップと、抽出手段が、受付ステップにおいて受け付けられた発信端末の通信端末情報と着信端末の通信端末情報との双方が記憶されているアドレス帳の登録者を仲介者として、格納手段によって格納されたデータから抽出する抽出ステップと、生成手段が、抽出ステップにおいて抽出された仲介者に関する仲介者情報を格納手段によって格納されたデータから生成する生成ステップと、情報提供手段が、生成ステップにおいて生成された仲介者情報を着信端末へ提供する情報提供ステップと、を備えることを特徴とする。
【００１４】
本発明の情報提供方法によれば、発信端末の通信端末情報と着信端末の通信端末情報との双方が記憶されているアドレス帳の登録者を仲介者として格納されたデータから抽出し、その抽出した仲介者の情報を生成する。そして、その仲介者の情報を発信端末へ提供する。よって、この仲介者の情報を着信端末において表示することができる。この仲介者は、発信者と着信者の通信端末情報をアドレス帳に登録している者なので、発信者と着信者との双方と関係があると推定される。よって、着信者は、仲介者の情報を得ることにより、発信者が自分と関連性のある仲介者と関係のある者であることが分かる。すなわち、本発明の情報提供方法によれば、着信者と発信者との関連性を特定可能な情報を着信端末へ提供することができる。
【発明の効果】
【００１５】
本発明によれば、着信端末のアドレス帳に発信者が登録されていない場合であっても、着信者へ発信者との関連性を特定可能な情報を着信端末へ提供できる。
【発明を実施するための最良の形態】
【００１６】
本発明の情報提供システム、アドレス帳サーバ、及び情報提供方法を実施するための最良の形態について図面を参照して説明する。
【００１７】
最初に、本実施形態に係る情報提供システムの構成について、図１を参照して説明する。図１は、本実施形態に係る情報提供システムの構成図である。本実施形態に係る情報提供システム１は、発移動機（発信端末）３が発呼して着移動機（着信端末）５が着呼する際に、発信者と着信者との関連性を特定可能な情報を着移動機５へ提供するシステムである。
【００１８】
ここで、発移動機３及び着移動機５は、移動体通信網に属して通話及びメールの送受信が可能な携帯電話機、ＰＨＳ（Personal Handy-phone System）等である。また、発信者と着信者との関連性を特定可能な情報とは、発信者及び着信者の双方に関連性のある者（以下、「仲介者」という）の氏名等を含む仲介者情報である。
【００１９】
情報提供システム１は、交換機１０と、交換機１０と通信可能に構成されたアドレス帳サーバ２０とを備えて構成される。交換機１０は、移動体通信網のコアネットワークに配置されて、発着信処理を行う装置である。交換機１０は、その発着信処理を行う発着信処理部１１と、仲介者情報を着移動機５へ提供する情報提供部（情報提供手段）１２とを備えている。
【００２０】
発着信処理部１１は、発移動機３から発呼要求と共に、発移動機３の電話番号と着移動機５の電話番号とを受け付ける。発着信処理部１１は、表示情報を取得するために、受け付けた発移動機３及び着移動機５の電話番号を情報提供部１２へ出力する。表示情報とは、着移動機５において表示される情報であって、発移動機３の電話番号と、仲介者情報と、発信者の名前とを含む情報である。なお、仲介者情報が情報提供部１２によって取得できなかった場合、表示情報は、発移動機３の電話番号のみとなる。発着信処理部１１は、情報提供部１２から表示情報が入力されると、着信処理を行うと共に、表示情報を着移動機５へ送信する。
【００２１】
情報提供部１２は、発移動機３及び着移動機５の電話番号を発着信処理部１１から入力されると、仲介者情報を取得するために、受け付けた発移動機３及び着移動機５の電話番号をアドレス帳サーバ２０へ出力する。それに応じて、アドレス帳サーバ２０から仲介者情報が入力されると、情報提供部１２は、発移動機３の電話番号と共に仲介者情報を発着信処理部１１へ出力する。情報提供部１２は、アドレス帳サーバ２０から仲介者情報がない旨の情報を入力すると、発移動機３の電話番号のみを発着信処理部１１へ出力する。
【００２２】
引き続いて、アドレス帳サーバ２０の構成について説明する。アドレス帳サーバ２０は、ネットワークアドレス帳データベース（格納手段）２１と、受付部（受付手段）２２、抽出部（抽出手段）２３、及び生成部（生成手段）２４を備えて構成される。
【００２３】
ネットワークアドレス帳データベース２１は、登録者とその登録者のアドレス帳とを互いに関連付けて格納する。アドレス帳とは、電話番号（通信端末情報）とその電話番号に対応する通信端末の利用者の名前とを関連付けて記憶したデータベースである。
【００２４】
図２は、ネットワークアドレス帳データベースの構成を示す図である。図２の（ａ）、（ｂ）、（ｃ）は、それぞれ、登録者であるＡさん、Ｂ君、Ｃ君のアドレス帳を示している。例えば、図２（ａ）に示すように、ネットワークアドレス帳データベース２１のＡさんのアドレス帳には、通信端末の利用者の名前「Ｂ君」、通信端末の電話番号「０９０−２２２２−２２２２」、ＡさんとＢ君との関係「大学」、といった情報が互いに関連付けられて記憶されている。
【００２５】
受付部２２は、交換機１０の情報提供部１２から入力される発移動機３の電話番号と着移動機５の電話番号とを受け付ける。そして、受付部２２は、受け付けた発移動機３及び着移動機５の電話番号を抽出部２３へ出力する。
【００２６】
抽出部２３は、受付部２２から入力された発移動機３の電話番号と着移動機５の電話番号との双方が記憶されているアドレス帳の登録者を仲介者として、ネットワークアドレス帳データベース２１から抽出する。そして、抽出部２３は、発移動機３の利用者のアドレス帳に抽出した仲介者が記憶されており、且つ、着移動機５の利用者のアドレス帳に抽出した仲介者が記憶されている場合に、抽出した仲介者の名前を示す情報を生成部２４へ出力する。
【００２７】
生成部２４は、抽出部２３から入力された仲介者の仲介者情報をネットワークアドレス帳データベース２１のデータから生成する。仲介者情報として、仲介者の名前及び仲介者と発信者との関係等の情報が含まれる。また生成部２４は、仲介者のアドレス帳から発信者の名前を抽出する。
【００２８】
抽出部２３及び生成部２４の機能について図２を参照して説明する。図２に示すネットワークアドレス帳データベースにおいて、図２（ａ）のＡさんが着移動機５の利用者（着信者）であり、図２（ｃ）のＣ君が発移動機３の利用者（発信者）である場合について具体的に説明する。図２（ｂ）には、発移動機３の電話番号「０９０−３３３３−３３３３」と、着移動機５の電話番号「０９０−１１１１−１１１１」とが、記憶されている。
【００２９】
抽出部２３は、発移動機３の電話番号と着移動機５の電話番号との双方が記憶されているアドレス帳として、図２（ｂ）に示されるアドレス帳を抽出し、そのアドレス帳の登録者であるＢ君を仲介者として抽出する。そして、抽出部２３は、仲介者「Ｂ君」のアドレス帳（図２（ｂ））において、発移動機３の電話番号「０９０−３３３３−３３３３」と関連付けて登録された発移動機３の利用者「Ｃ君」のアドレス帳（図２（ｃ））に、仲介者「Ｂ君」が登録されていることを確認する。
【００３０】
また、抽出部２３は、仲介者「Ｂ君」のアドレス帳（図２（ｂ））において、着移動機５の電話番号「０９０−１１１１−１１１１」と関連付けて登録された着移動機５の利用者「Ａさん」のアドレス帳（図２（ａ））に、仲介者「Ｂ君」が登録されていることを確認する。そして、図２（ｃ）の発移動機３の利用者のアドレス帳に抽出した仲介者「Ｂ君」が記憶されており、且つ、図２（ａ）の着移動機５の利用者のアドレス帳に抽出した仲介者「Ｂ君」が記憶されているので、抽出した仲介者の名前「Ｂ君」を示す情報を生成部２４へ出力する。
【００３１】
生成部２４は、入力された仲介者「Ｂ君」のアドレス帳（図２（ｂ））において、発信者「Ｃ君」との関連性を示す情報「仕事」を抽出し、発信者「Ｃ君」が仲介者「Ｂ君」の「仕事仲間」である旨の仲介者情報を生成する。生成部２４は、生成した仲介者情報と発信者の名前を示す情報とを情報提供部１２へ出力する。
【００３２】
この場合、情報提供部１２からは、図３に示すように、「Ｃ君、Ｂ君の仕事仲間、携帯：０９０−３３３３−３３３３」という仲介者情報及び発信者の名前及び電話番号を含めた表示情報が提供されることとなる。
【００３３】
以上説明したアドレス帳サーバ２０は、図４に示すハードウェアによって実現される。図４は、本実施形態に係るアドレス帳サーバのハードウェア構成図である。アドレス帳サーバ２０は、物理的には、図４に示すように、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。
【００３４】
上述したアドレス帳サーバ２０の各機能は、図４に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００３５】
引き続いて、アドレス帳サーバ２０を含む情報提供システム１の動作を説明すると共に本実施形態に係る情報提供方法について説明する。図５は、本実施形態に係る情報提供システムの動作を示すシーケンス図である。
【００３６】
まず、発移動機３において、発信処理が行われる（ステップＳ１）と、発移動機３の電話番号と着移動機５の電話番号とが、発信要求と共に、発移動機３から交換機１０へ送信される（ステップＳ２）。交換機１０において、発信要求が、発着信処理部１１によって受け付けられると、受信した情報から発移動機３の電話番号と着移動機５の電話番号とが抽出され（ステップＳ３）、情報提供部１２を介してアドレス帳サーバ２０へ出力される（ステップＳ４）。
【００３７】
すると、アドレス帳サーバ２０において、仲介者情報が生成されると共に発信者名が抽出され（ステップＳ５）、仲介者情報及び発信者名が、アドレス帳サーバ２０から交換機１０へ送信される（ステップＳ６）。交換機１０において仲介者情報が入力されると、仲介者情報及び発信者名を示す情報に、発移動機３の電話番号を示す情報が付加された表示情報が、情報提供部１２によってセットされる（ステップＳ７）。
【００３８】
続いて、着信処理が、発着信処理部１１によって行われ（ステップＳ８）、表示情報が交換機１０から着移動機５へ送信される（ステップＳ９；情報提供ステップ）。これにより、着移動機５において、着信と同時に表示情報がディスプレイに表示される（ステップＳ１０）。
【００３９】
続いて、アドレス帳サーバ２０において仲介者情報を生成する動作について、図６を参照してより詳細に説明する。図６は、本実施形態に係るアドレス帳サーバ２０の動作を示すフローチャートである。
【００４０】
まず、交換機１０から送信された発移動機３の電話番号と着移動機５の電話番号とが、受付部２２によって受け付けられる（ステップＳ２１；受付ステップ）。発移動機３の電話番号と着移動機５の電話番号との両方を登録している仲介者のアドレス帳があるか否か、抽出部２３によって判断される（ステップＳ２２）。
【００４１】
発移動機３の電話番号と着移動機５の電話番号との両方を登録している仲介者のアドレス帳がある場合（ステップＳ２２でＹＥＳ）、発信者のアドレス帳に仲介者が登録されているか否か、抽出部２３によって判断される（ステップＳ２３）。発信者のアドレス帳に仲介者が登録されている場合（ステップＳ２３でＹＥＳ）、更に、着信者のアドレス帳に仲介者が登録されているか否か、抽出部２３によって判断される（ステップＳ２４）。着信者のアドレス帳に仲介者が登録されている場合（ステップＳ２４でＹＥＳ）、仲介者が抽出部２３によって抽出される（ステップＳ２５；抽出ステップ）。
【００４２】
仲介者が抽出されると、仲介者の氏名と着信者と仲介者との関係を示す仲介者情報と発信者の氏名を示す情報が、生成部２４によって生成される（ステップＳ２６；生成ステップ）。仲介者情報が生成されると、生成された仲介者情報と発信者の氏名を示す情報とが、生成部２４によって交換機１０へ送信される（ステップＳ２７）。このようにして、仲介者情報が、アドレス帳サーバ２０から交換機１０へ提供される。
【００４３】
一方、発移動機３の電話番号と着移動機５の電話番号との両方を登録している仲介者のアドレス帳がない場合（ステップＳ２２でＮＯ）、ステップＳ２８へ進む。また、発信者のアドレス帳に仲介者が登録されていない場合（ステップＳ２３でＮＯ）、ステップＳ２８へ進む。着信者のアドレス帳に仲介者が登録されていない場合（ステップＳ２４でＮＯ）、ステップＳ２８へ進む。
【００４４】
ステップＳ２８では、次のアドレス帳があるか否か、抽出部２３によって判断され、次のアドレス帳がある場合（ステップＳ２８でＹＥＳ）では、ステップＳ２２へ戻る。次のアドレス帳がない場合（ステップＳ２８でＮＯ）は、発信者の電話番号を示す情報が、交換機１０へ生成部２４によって出力される（ステップＳ２９）。
【００４５】
以上説明した本実施形態の情報提供システム１によれば、発移動機３の電話番号と着移動機５の電話番号との双方が記憶されているアドレス帳の登録者を仲介者としてネットワークアドレス帳データベース２１から抽出し、その抽出した仲介者の情報を生成する。そして、その仲介者の情報を着移動機５へ提供する。よって、この仲介者の情報を着移動機５において表示することができる。この仲介者は、発信者と着信者の電話番号をアドレス帳に登録している者なので、発信者と着信者との双方と関係があると推定される。よって、着信者は、仲介者の情報を得ることにより、発信者が自分と関連性のある仲介者と関係のある者であることが分かる。すなわち、情報提供システム１から着移動機５へ、着信者と発信者との関連性を特定可能な情報を提供することができる。
【００４６】
従って、着信者は、着移動機５及びネットワークアドレス帳データベース２１の着信者のアドレス帳に発信者の情報が登録されていない場合であっても、発信者が悪意の者でないことを確認でき、不安を解消することができる。
【００４７】
また、情報提供システム１では、仲介者情報を着信接続の際に着移動機５へ提供する。この場合、着信時に、情報提供システム１から着移動機５へ、着信者と発信者との関連性を特定可能な仲介者情報を提供することができる。
【００４８】
また、情報提供システム１では、ネットワークアドレス帳データベース２１における発信者のアドレス帳に仲介者が記憶されており、且つ、着信者のアドレス帳に仲介者が記憶されている場合に、仲介者情報を生成する。この場合、この仲介者は、発信者及び着信者の電話番号をアドレス帳に登録し、発信者及び着信者のアドレス帳に登録されている者であるので、より確実に、仲介者が発信者と着信者との双方と関係があると推定される。よって、情報提供システム１から着移動機５へ、着信者と発信者との関連性をより確実に特定可能な情報を提供することができる。
【００４９】
本発明は、上記実施形態に限られず、種々の変形が可能である。上記実施形態では、通信端末情報として移動機の電話番号を用い、電話の発着信の場合について説明したが、これに限られない。通信端末情報として移動機のメールアドレスを用いて、メールの発着信の場合に情報提供システム１を適用してもよい。
【図面の簡単な説明】
【００５０】
【図１】本実施形態に係る情報提供システムの構成図である。
【図２】図１のネットワークアドレス帳データベースの構成を示す図である。
【図３】本実施形態に係る情報提供システムにおいて提供される表示情報を示す図である。
【図４】本実施形態に係るアドレス帳サーバのハードウェア構成図である。
【図５】本実施形態に係る情報提供システムの動作を示すシーケンス図である。
【図６】本実施形態に係るアドレス帳サーバの動作を示すフローチャートである。
【符号の説明】
【００５１】
１…情報提供システム、３…発移動機（発信端末）、５…着移動機（着信端末）、１０…交換機、１２…情報提供部（情報提供手段）、２０…アドレス帳サーバ、２１…ネットワークアドレス帳データベース（格納手段）、２２…受付部（受付手段）、２３…抽出部（抽出手段）、２４…生成部（生成手段）。
【図１】
2008300961.tif 000003
【図２】
2008300961.tif 000004
【図３】
2008300961.tif 000005
【図４】
2008300961.tif 000006
【図５】
2008300961.tif 000007
【図６】
2008300961.tif 000008